(57)【特許請求の範囲】
【請求項１】
合板の木質系防音床材本体の裏面側に複数個の長方形状の溝部を設け、該溝部に粉末尿素と活性炭との混練粉末からなる粉末吸着剤を充填し、該粉末吸着剤を被装するようにしてゴム板を接着して成る木質系防音床材。
【請求項２】
合板の木質系防音床材本体の裏面側に点状の溝部を複数個設け、該溝部に粉末尿素と活性炭との混練粉末からなる粉末吸着剤を充填し、該粉末吸着剤を被装するようにしてゴム板を接着して成る木質系防音床材。
【発明の詳細な説明】
【０００１】
【発明の属する技術分野】
本発明は合板を主体とした木質系防音床材に係わるものでホルマリン臭のない裏面にゴム貼りした木質系防音床材に関するものである。
【０００２】
【従来の技術】
昨今の合板を用いた木質系防音床材Ａはホルマリン臭がきついといことから低ホルマリン臭の合板の開発が行われてきた。そこでホルムアルデヒド放散量の少ない合板として下表のＦ１，Ｆ２，Ｆ３の３区分からなるＪＡＳ（日本農林規格）が制定されている。
【０００３】
表１
0003541771.tif 000002
【０００４】
しかしながら、上記Ｆ１レベルの合板を用いても完全にホルマリン臭を抑えることができず、室内にホルマリン臭が発生するという問題があった。
図６に従来の木質系防音床材Ａを示す。この木質系防音床材Ａは木質系防音床材本体１をホルムアルデヒド放散量の少ない合板としてＪＡＳ（日本農林規格）のＦ１レベルの合板を用いたもので、裏面側に防音用のゴム材が貼着されているが、防音性を高めるために裏面側２に複数の溝部３をカッターで形成されるので合板の内部からホルマリン臭が発生しやすい。
【０００５】
【発明が解決しようとする課題】
上記構成の木質系防音床材ＡはＪＡＳ（日本農林規格）のＦ１レベルの合板を用いても合板からのホルマリン放散量を抑えることができず目が痛くなり、健康上にあまり良くないという問題があった。
【０００６】
本発明は上記問題点の解決を目的とするものであり、合板の木質系防音床材本体１の裏面側に複数個の長方形状あるいは点状の溝部３を設け、該溝部３に粉末尿素と活性炭との混練粉末からなる粉末吸着剤４を充填し、該粉末吸着剤４を被装するようにしてゴム板を接着して成る木質系防音床材Ｂ，Ｃ，Ｄ，Ｅを提供することにある。
【０００７】
【課題を解決するための手段】
本発明の請求項１記載の木質系防音床材は、合板の木質系防音床材本体の裏面側に複数個の長方形状の溝部を設け、該溝部に粉末尿素と活性炭との混練粉末からなる粉末吸着剤を充填し、該粉末吸着剤を被装するようにしてゴム板を接着して成るものである。
【０００８】
したがって、木質系床材本体の裏面側に複数個の溝部を形成してもホルマリン臭が粉末吸着剤に吸着されるのでホルマリン臭がなくなり、施工後も快適である。
【０００９】
本発明の請求項２記載の木質系防音床材は、合板の木質系防音床材本体の裏面側に点状の溝部を複数個設け、該溝部に粉末尿素と活性炭との混練粉末からなる粉末吸着剤を充填し、該粉末吸着剤を被装するようにしてゴム板を接着して成るものである。
【００１０】
したがって、請求項１記載の木質系防音床材と同様に、木質系床材本体の裏面側に複数個の溝部を形成してもホルマリン臭が粉末吸着剤に吸着されるのでホルマリン臭がなくなり、施工後も快適である。
【００１３】
【発明の実施の形態】
図１乃至図４は、請求項１に係る発明に対応する実施の形態を示し、該実施形態の木質系防音床材Ｂを以下に示す。雌雄の実部を有する合板の木質系床材本体１の裏面側２に複数個の長方形状の溝部３を設け、該溝部３に粉末尿素と活性炭との混練粉末からなる粉末吸着剤４を充填し、該粉末吸着剤４を被装するようにして厚さ１〜１０ｍｍのブチル系やウレタン系のゴム板５を接着して成る木質系防音床材を構成している。
【００１４】
この粉末吸着剤４は粉末尿素単体又は粉末尿素単体と活性炭との混練粉末であって、溝部３内からこぼれにくいように液状にしていないので重量も軽く、施工性の良好なものである。
【００１５】
又、木質系防音床材本体１がＦ１レベルの合板を用いているのでホルマリン臭が少ないにもかかわらずゴム板の接着剤臭も粉末吸着剤４で吸着され、ホルマリン臭がなくなる。
【００１６】
図３は他の実施例の形態を示し、該実施形態の木質系防音床材Ｃを以下に示す。合板の木質系床材本体１の裏面側２に複数個の断面が逆三角形状の溝部３を設け、該溝部３に粉末尿素と活性炭との混練粉末からなる粉末吸着剤４を充填し、該粉末吸着剤４を被装するようにして厚さ１〜１０ｍｍのブチル系やウレタン系のゴム板５を接着して成る木質系防音床材を構成している。
【００１７】
したがって、防音性が高いにもかかわらず合板のホルマリン成分が粉末吸着剤４で吸着され、ホルマリン臭がなくなる。図４はさらに異なる実施例の形態を示し、該実施形態の木質系防音床材Ｄを以下に示す。木質系床材本体１の裏面側２に複数個の断面が逆Ｕ字状の溝部３を設け、該溝部３に粉末吸着剤４を充填し、該粉末吸着剤４を被装するようにして厚さ１〜１０ｍｍのブチル系やウレタン系のゴム板５を接着して成る木質系防音床材を構成している。
【００１８】
したがって、防音性が高いにもかかわらず合板のホルマリン成分が粉末吸着剤４で吸着され、ホルマリン臭がなくなる。
【００１９】
木質系床材本体１の裏面側２に複数個の溝部３が設けられているが、図５のように点状に溝部３を形成し、この点状に溝部３に粉末吸着剤４を充填後、ゴム板５で被装することにより防音効果がでるように設計すれば良いものである。
【００２０】
【発明の効果】
上述の如く、本発明の請求項１に係る発明は、合板の木質系防音床材本体の裏面側に複数個の長方形状の溝部を設け、該溝部に粉末尿素と活性炭との混練粉末からなる粉末吸着剤を充填し、該粉末吸着剤を被装するようにしてゴム板を接着して成るから、木質系床材本体の裏面側に複数個の長方形状の溝部を形成してもホルマリン臭が粉末吸着剤に吸着されるのでホルマリン臭がなくなり、施工後も快適である。また取扱い性や施工性が向上する。
【００２１】
本発明の請求項２に係る発明は、合板の木質系防音床材本体の裏面側に複数個の点状ｓの溝部を設け、該溝部に粉末尿素と活性炭との混練粉末からなる粉末吸着剤を充填し、該粉末吸着剤を被装するようにしてゴム板を接着して成るから、木質系床材本体の裏面側に複数個の溝部を形成してもホルマリン臭が粉末吸着剤に吸着されるのでホルマリン臭がなくなり、施工後も快適である。また取扱い性や施工性が向上する。
【図面の簡単な説明】
【図１】本発明の一実施形態の全体を示す斜視図である。
【図２】本発明の図１の一実施形態の上方から見た平面図である。
【図３】本発明の他の実施形態である木質系防音床材の縦断面図である。
【図４】本発明の異なる実施形態である木質系防音床材の縦断面図である。
【図５】本発明のさらに異なる実施形態である木質系防音床材の一部分解した斜視図で
ある。
【図６】従来の木質系防音床材を示す縦断面図である。
【符号の説明】
Ａ      従来の木質系防音床材
Ｂ      木質系防音床材
Ｃ      木質系防音床材
Ｄ      木質系防音床材
Ｅ      木質系防音床材
１      木質系防音床材本体
２      裏面側
３      溝部
４      粉末吸着剤
５      ゴム板
【図１】
0003541771.tif 000003
【図２】
0003541771.tif 000004
【図３】
0003541771.tif 000005
【図４】
0003541771.tif 000006
【図５】
0003541771.tif 000007
【図６】
0003541771.tif 000008